(57)【要約】      （修正有）【課題】  粘着テープを切断する時に、粘着テープが巻かれた本体側のテープの端部に自動的に不付着部分を設けるテープカッター装置を提供する。【解決手段】  粘着テープホルダーと、該粘着テープホルダーにテープを回転可能に取り付ける回転体と、上方への反発力を有し上下動するように設けられカッター刃を有するカッター体と、回転体とカッター体間位置に設けられた中間固定体と、前記カッター体の上下動にあわせ中間固定体とカッター体間を水平にスライドする移動体と、中間固定体上面あるいは移動体上面の少なくとも一方に設けられた相互の接面側の側辺がテープを持ち上げるように上方へ反発する可動機構とより構成され、切断時にはカッター体側に位置し、切断終了後には中間固定体側に押し戻されることによってテープが接着面を内側にして折れ曲がり接着面が互いに接着し不接着部分を作り出すことを特徴とする粘着テープカッター装置である。【選択図】  図１
2006248774.tif 000002
【特許請求の範囲】
【請求項１】
粘着テープホルダーと、該粘着テープホルダーに粘着テープを回転可能に取り付ける回転体と、上方への反発力を有し上下動するように設けられカッター刃を有するカッター体と、回転体とカッター体間位置に設けられた中間固定体と、前記カッター体の上下動にあわせ中間固定体とカッター体間を水平にスライドする移動体と、中間固定体上面あるいは移動体上面の少なくとも一方に設けられた相互の接面側の側辺が粘着テープを持ち上げるように上方へ反発する可動機構とより構成され、前記移動体は粘着テープ切断時に粘着テープが中間固定体、カッター刃とあわせてテープが接面するように移動体上面の高さ位置が設けられたものであり、切断時にはカッター体側に位置し、切断終了後には中間固定体側に押し戻されるものであることを特徴とする粘着テープカッター装置。
【発明の詳細な説明】
【技術分野】
【０００１】  本発明は粘着テープ（以後テープと呼ぶ）を切断する時に、テープが巻かれた本体側のテープの端部に自動的に不付着部分を設けるテープカッター装置に関するものである。
【背景技術】
【０００２】  従来、粘着テープカッター装置は大半が不付着部分を作る機能を有しないが、中にはテープ切断後、回転機および切断器の稼動によって末端を折り曲げ不付着部分を作る装置が考案されている。
【特許文献１】特許公開２００４−８３２７５
【発明の開示】
【発明が解決しようとする課題】
【０００３】  そのために、次のような問題があった。
（イ）本体側のテープ末端を折り曲げて不付着部分を設ける場合、接着面を内側にして曲げる必要があるが、テープは重量があるため非接着面側すなわち下に曲がり易く、それを防ぐためにはテープを強制的に上に持ち上げる機能が必要である。従来の回転機を使用する装置は切断されたテープ端末が他の中間固定体に近づく力によって回転機を回しテープを上に持ち上げる機構になっているが、回転体がテープの重量に抗しきれず逆回転するため不付着部分を形成出来ないことが多々ある。
（ロ）従来の回転機を使用する装置は、回転機を近づけて接着面を互いに付着させる動作において、回転機が廻ることによって回転機にテープが巻きつき易かった。
本発明はこの問題を解決しようとするものである。
【課題を解決するための手段】
【０００４】  粘着テープホルダーと該粘着テープホルダーにテープを回転可能に取り付ける回転体と、上方への反発力を有し上下動するように設けられカッター刃を有するカッター体と、回転体とカッター体間位置に設けられた中間固定体と、前記カッター体の上下動にあわせ中間固定体とカッター体間を水平にスライドする移動体と、中間固定体上面あるいは移動体上面の少なくとも一方に設けられた相互の接面側の側辺がテープを持ち上げるように上方へ反発する可動機構とより構成され、前記移動体はテープ切断時にテープが中間固定体、カッター刃とあわせてテープが接面するように移動体上面の高さ位置が設けられたものであり、切断時にはカッター体側に位置し、切断終了後には中間固定体側に押し戻されることによってテープが接着面を内側にして折れ曲がり接着面が互いに接着し不接着部分を作り出すことを特徴とする粘着テープカッター装置である。
【発明の効果】
【０００５】  本発明は切断したテープの端部に簡便かつ確実に不付着部分を作ることを可能にしたため、商品等のケースやその他の梱包材をテープによって閉じ、再びテープを剥がしてその商品等を使用する場合において、テープ剥がしが容易な商品を提供することが可能になった。
【発明を実施するための最良の形態】
【０００６】以下、本発明の実施の形態を説明する。
図１に示すように粘着テープホルダー（１）と、該粘着テープホルダーにテープを回転可能に取り付ける回転体（２）と、上方への反発力を有し上下動するように設けられカッター刃（３）を有するカッター体（４）と、回転体（２）とカッター刃（３）間位置に設けられた中間固定体（５）と、前記カッター体（４）の上下動にあわせ中間固定体（５）とカッター刃（３）間を水平にスライドする移動体（６）により構成される。
以下各構成につき詳しく説明する。
粘着テープホルダー（１）は図２に示すように一方にテープ収納部（７）と、収納部左右側壁部に軸受け（８）と、他方端側にテープ切断時下げられたカッター体（４）を停止させるための階段形状をしたストッパー受け部（９）と、中間に中間固定体（５）とが設けられている。
この中間固定体（５）は軸受け（８）の高さ位置より高くなるよう作られていて、上面にテープの接面側の側辺がテープを持ち上げるように上方へ反発する可動機構が設けられている。この機構は図３に示すように蝶番状の部品（１０）の固定片（１１）を中間固定体（５）に接着固定し、該蝶番状の部品の閉じた状態で可動片（１２）との間に柔らかい弾性部材例えばスポンジ（１３）を挟み固定する。これによりテープにより上から圧力が掛かる時はスポンジ（１３）が潰れ上面は図３ａのように水平に近い状態となり圧力が開放されれば側辺がスポンジ（１３）の反発力によって図３ｂのようにテープを持ち上げる。
前記粘着テープホルダー（１）はまた図２に示すように中間固定体（５）とストッパー受け部（９）間位置にある移動体が水平にスライドするための空間（１４）と、そのスライド方向に平行した側壁の対向位置に一対の貫通したスライド溝（１５）がスライド方向と水平に設けられている。
さらに粘着テープホルダー（１）は図４に示すように軸受け（８）と中間固定体（５）の間にカッター体（４）を取り付けるための取付け穴（１６）と、該取付け穴のカッター体が取り付けられる側の下にカッター体（４）を上方へ反発するためのバネ部受け（１７）が弾性素材の挿入できる間隔を空けて設けられている。該左右バネ受け部上面の外側は上方へ延びた凸部（１８）となっている。
回転体（２）は図１に示すように外径（１９）は粘着テープをはめ込んだ時固定できる大きさとし、軸受け（８）に回転可能に取り付けるため回転中心に軸（２０）を設ける。
カッター体（４）は、図５に示すように一方の左右の端に粘着テープホルダー（１）に上下動が出来るように取り付けるための差込突起（２１）と、その差込突起を中心にして上方への反発力を持たせるための弾性部材例えばバネ（２２）と、そのバネの上方への反発力を受ける反発力受け（２３）とを設ける。他方の端にはテープを切断するための先が細かく凹凸する薄いカッター刃（３）を有し、テープ切断時に該カッター刃（３）が中間固定体（５）と移動体（６）のそれぞれ上面にテープが接面固定される高さ位置で停止するようストッパー（２４）を設ける。また中間位置左右にはカッター体の上下運動に合わせて移動体（６）を水平にスライドさせる力を伝える駆動バー（２５）を取り付けるための駆動バー取付け穴（２６）を設ける。
移動体（６）は図６に示すように水平にスライドさせる力を受けるためのもので粘着テープホルダー（１）に設けられたスライド溝（１５）に差し込みそのスライド溝に沿ってスムースに動ける太さを持つ左右２本のアーム（２７）と、粘着テープホルダー（１）に設けられた移動体がスライドする空間（１４）の両側壁の間をスムースに水平移動できる幅と奥行きを持つ本体（２８）を有する。その本体はテープ切断後接面したテープを剥がし易い程度の幅の移動体上面（２９）を持ち、高さは中間固定体の上面高さとほぼ同じ高さを有する。
一対の駆動バー（２５）は図７に示すように板状のもので一方の端に移動体（６）のアーム（２７）と連結させるための連結穴（３０）と、他方の端にカッター体（４）に取り付けるための連結突起（３１）を有する。その連結突起（３１）をカッター体に設けられた左右の駆動バー取付け穴（２６）に差し込んでカッター体に連結する。
中間固定体（５）と移動体（６）の間隔は希望する不付着部分寸法の約２倍程度に設定する。
本発明は以上の構成によりなっている。
本発明を使用するときは、移動体（６）が中間固定体（５）に押し付けられ、カッター刃（３）は上に持ち上げられている初期状態に対し、テープを必要な長さに引き出しカッター刃（３）に押し当て、カッター体（４）が止まるまで図８（ａ）のように押し下げた後テープを切断する。その瞬間には移動体（６）と中間固定体（５）の両上面にテープが接面した状態となり、切断が終了した後はカッター体（４）がバネ（２２）の力によって上に移動するため、図８（ｂ）のように駆動バー（２５）で連結された移動体（６）が中間固定体（５）に押し付けられるまでスライド溝（１５）に沿って自動的に水平に引き戻される。その時同時に中間固定体（５）と移動体（６）の間のテープは中間固定体（５）の上面に設けられた上方へ反発する可動機構によりテープが持ち上げられ、接着面を内側にして折り曲げられ、近づいてくる移動体（６）側の接着面と中間固定体（５）側の接着面が互いに付着して不付着部分を形成する。次に使用する時はその不付着部分を摘んでテープを引き出し、前述の動作を繰り返すことによって不付着部分を持ったテープ片を作り出す。
尚、中間固定体（５）の可動機構に関しては反対向きにして移動体（６）の上面につけることも可能であるし、双方に取り付けることもできる。
【図面の簡単な説明】
【０００７】
【図１】本発明の斜視図
【図２】本発明の部分断面図１
【図３】本発明の蝶番の動きを示す説明図
【図４】本発明の部分の一部を切り欠いた斜視図１
【図５】本発明の部品の一部を切り欠いた斜視図１
【図６】本発明の部分の一部を切り欠いた斜視図２
【図７】本発明の部品斜視図２
【図８】本発明のテープ切断時とテープ切断後の動きを示す説明図
【符号の説明】
【０００８】  １  粘着テープホルダー
２  回転体
３  カッター刃
４  カッター体
５  中間固定体
６  移動体
７  テープ収納部
８  軸受け
９  ストッパー受け部
１０  蝶番状の部品
１１  固定片
１２  可動片
１３  スポンジ
１４  空間
１５  スライド溝
１６  取付け穴
１７  バネ受け部
１８  凸部
１９  外径
２０  軸
２１  差込突起
２２  バネ
２３  反発力受け
２４  ストッパー
２５  駆動バー
２６  駆動バー取付け穴
２７  アーム
２８  本体
２９  移動体上面
３０  連結穴
３１  連結突起
【図１】
2006248774.tif 000003
【図２】
2006248774.tif 000004
【図３】
2006248774.tif 000005
【図４】
2006248774.tif 000006
【図５】
2006248774.tif 000007
【図６】
2006248774.tif 000008
【図７】
2006248774.tif 000009
【図８】
2006248774.tif 000010